【事件の表示】
　平成７年特許願第４２８４号「ゴルフ場における測位システム」拒絶査定不服審判事件〔平成８年７月３０日出願公開、特開平８−１９１９１３〕について、次のとおり審決する。
【結　論】
　本件審判の請求は、成り立たない。
【理　由】
【１】手続の経緯
　本願は、平成７年１月１３日の出願であって、平成１５年１２月２日付で拒絶査定がなされ、これに対し、平成１６年１月７日に拒絶査定に対する審判請求がなされるとともに、同年１月９日付で手続補正がなされた。
　
【２】平成１６年１月９日付の手続補正についての補正却下の決定
［補正却下の決定の結論］
　平成１６年１月９日付の手続補正（以下、「本件補正」という。）を却下する。
［理由］
（１）本件補正
　本件補正は、請求項１を次のとおりに補正することを含むものである。
「ゴルフ場の基準位置に設けられてその絶対位置を測定し、該測定位置に係る情報を送信する基準位置測定装置と、
　ゴルフ場内の任意の位置に運ばれて前記基準位置測定装置と同一方式で自己の絶対位置を測定すると共に、前記基準位置測定装置から受信した測定位置と該測定した自己の絶対位置との減算によって前記基準位置を原点とする自己のローカル位置を求める移動位置測定装置とを備え、
　前記移動位置測定装置は、前記ゴルフ場の基準位置を原点とするローカル座標系で規定された各ホールのピン位置のデータベースに基づき各ホールにおけるボール位置からピン位置までの距離及び又は高低差を求めて数値出力することを特徴とするゴルフ場における測位システム。」（以下、「補正発明」という。）
　上記補正は、特許請求の範囲の減縮を目的とするものであるから、上記補正発明が、その特許出願の際独立して特許を受けることができるものであるかについて、以下に検討する。
　
（２）引用刊行物
　原査定の拒絶の理由で引用された、特開平６−２８５１９８号公報（以下、「刊行物１」という。）には、以下の記載がある。
「【請求項１】ホール情報を記憶する記憶手段（８ｅ）と、ホール情報を表示する表示手段（８ａ）と、前記記憶手段（８ｅ）及び前記表示手段（８ａ）の作動を制御する制御手段（２００）とが設けられたホール情報表示機能付ゴルフカートであって、
ホールにおける現在位置を検出する現在位置検出手段（１００）が設けられ、
前記記憶手段（８ｅ）に、ホールのレイアウト情報が記憶され、
前記制御手段（２００）は、前記現在位置検出手段（１００）及び前記記憶手段（８ｅ）の情報に基づいて、前記ホールのレイアウト表示上においてホールにおける現在位置から所定距離の位置を示す距離表示を、前記表示手段（８ａ）に表示させるように構成されているホール情報表示機能付ゴルフカート。」
「【０００１】【産業上の利用分野】本発明は、ホール情報を記憶する記憶手段と、ホール情報を表示する表示手段と、前記記憶手段及び前記表示手段の作動を制御する制御手段とが設けられたホール情報表示機能付ゴルフカートに関する。」
「【００１１】【発明の効果】従って、本発明の第１の特徴構成によれば、ホールにおける現在位置から所定の距離の位置を、表示画面のホールのレイアウト表示上において視覚的に容易に知ることができるので、従来、例えばプレイヤー等が次のショットの目標地点までの距離を判断する際に、レイアウト表示及びプレイヤー等自身がホールを実際に目視した情報からその距離判断をする必要もなく、目標地点までの距離判断を迅速且つ正確に行うことができ、もって、プレイヤー等にとって一層便利なホール情報表示機能付ゴルフカートが得られるに至った。」
「【００１４】【実施例】以下、本発明の実施例を図面に基づいて説明する。図２に示すように、本実施例のゴルフカート（以下、カートという）Ｃは、一対の後輪１と前輪２を備える三輪構造の車体に、操縦用のハンドル３、クラブケース４等を付設して構成されている。……」
「【００１８】又、カートＣには、走行輪１の回転数に比例するパルス数の信号を出力するロータリーエンコーダ１２が設けられ、このロータリーエンコーダ１２の検出情報は前記コントローラ５に入力されている。そして、コントローラ５は、上記パルス数を積算して走行距離を求めるように構成されている。又、前記カゴ１４の内側には、カートＣの車体の方位を検出する地磁気方位センサ１３が設置されている（図２参照）。そして、地磁気方位センサ１３にて検出された車体の方位の方向にロータリーエンコーダ１２にて検出された走行距離進んだ経路を積算することによって、例えばティーグラウンド地点を原点（０，０）として、ホールにおける現在位置（ｘ，ｙ）が計測される（図１２参照）ので、コントローラ５を利用して、ホールにおける現在位置を検出する現在位置検出手段１００が構成される。
　【００１９】図２に示すように、ハンドル３の前方にＬＣＤ（液晶）モジュール等からなる表示装置８が付設されている。この表示装置８には、図１及び図３に示すように、ホールのレイアウト、距離、高低差等の各種のホール情報を表示する表示手段としてのＬＣＤからなるグラフィックディスプレイ８ａと、画面切換入力やスコア入力等を指示するためのファンクションキー８ｂと、数字入力用のテンキー８ｃと、ホールのレイアウト情報その他の各種のホール情報を記憶する記憶手段としての着脱自在なメモリカード８ｅと、これらを制御して、キー入力処理やメモリ入出力処理や画面制御等を実行するマイクロプロセッサ８ｄとが設けられている。尚、上記キー８ｂ，８ｃは、フラットキーパネル式に構成されている。
　【００２０】グラフィックディスプレイ８ａには、例えば図３に示すような表示が行われる。図中、９にはホール全体の概略レイアウトがグラフィック表示され、１０には、前記算出されたカート現在位置からピンまでの概算距離、及び、カート現在位置のグリーン面を基準として後述のように算出される高低差が表示され、１１にはホールＮｏとホール距離等が表示される。……」
　したがって、刊行物１には以下の発明が記載されていると認められる。
　「ゴルフ場のティーグランド位置を原点（０，０）としてホールにおけるゴルフカートの現在位置（ｘ，ｙ）を検出する現在位置検出手段（１００）と、
　ホールのレイアウト情報その他の各種のホール情報を記憶する記憶手段（８ｅ）と、
　ホール情報を表示する表示手段（８ａ）と、
　を備えたゴルフカートを利用した、位置検出・距離情報等表示装置であって、
　現在位置検出手段と記憶手段の情報に基づいて、現在位置からピンまでの距離や高低差を表示手段に表示させるものである、ゴルフ場における位置検出・距離情報等表示装置。」
　
　同じく、原査定の拒絶の理由で引用された、特開平６−２３０１０５号公報（以下、「刊行物２」という。）には、以下の記載がある。
「【請求項１】人工衛星からの電波を受信し得る移動ＧＰＳ受信機が設けられた移動可能な複数のキャディカートと、既知の座標位置に設置され人工衛星からの電波を受信し得る固定ＧＰＳ受信機と、この固定ＧＰＳ受信機から伝送される測位データと前記座標位置との差を測位誤差として算出することで、前記移動ＧＰＳ受信機から伝送される各測位データの誤差を補正する補正位置演算手段と、この補正位置演算手段からの補正データに基づき前記キャディカートを集中制御する制御手段とにより構成されることを特徴とするキャディカート管理装置。」
「【０００７】【実施例】以下、本発明の一実施例につき、図１乃至図４を参照して説明する。図１はシステム構成の概略図を示し、同図において、１は原子時計が搭載された周知の人工衛星であり、この人工衛星１からは、約１．２２ＧＨｚと約１．５７ＧＨｚの中心周波数により極めて正確な時刻信号波が発信されており、民間に開放されて地球上で自由に受信できるシステムとなっている。２はゴルフ場内において移動可能な複数のキャディカートであり、前記人工衛星１からの時刻信号波を受信し得るアンテナ３を備えている。一方、４はゴルフ場内の適所に設置された固定局たるクラブ・ハウスであり、この固定局４にも前記人工衛星１からの時刻信号波を受信し得るアンテナ５が備えられている。そして、キャディカート２およびクラブ・ハウス間は、アンテナ３ａ，５ａを介して双方向のデータ伝送が行われるようになっている。」
「【００１１】次に、上記構成につきその作用を説明する。先ず、本装置における誤差補正の方法を、図４に基づいて説明する。前提条件として、１ケ所以上の固定ＧＰＳ受信機６，６´の位置が、予め測量などによってその座標位置の真値が測定されているものとする。便宜上、ここでは２ケ所の固定ＧＰＳ受信機６，６´局を有する場合について考察する。また、ここでは高度を考慮に入れず、一方の固定ＧＰＳ受信機６における緯度，経度の真値を（Ｎａ，Ｅａ）、他方の固定ＧＰＳ受信機６´における緯度，経度の真値を（Ｎｂ，Ｅｂ）とする。このとき、同時刻ｔに各ＧＰＳ受信機６，６´，15よる特定地域内での測位を行った場合には、電離層や大気圏の影響による誤差要因や、Ｓ／Ａによる誤差がほぼ一様に分布するものと考えられるため、ある時刻ｔにおける移動ＧＰＳ受信機15の測位値（Ｎｘ，Ｅｘ）と真値との誤差は、同時刻ｔに測位した固定ＧＰＳ受信機６，６´の測位値（Ｎａ´，Ｅａ´），（Ｎｂ´，Ｅｂ´）と真値（Ｎａ，Ｅａ），（Ｎｂ，Ｅｂ）との差と等しくなる。つまり、固定ＧＰＳ受信機６における測位誤差、すなわち、補正ベクトルＶａ（ΔＮａ，ΔＥａ）は、Ｖａ（ΔＮａ，ΔＥａ）＝（Ｎａ，Ｅａ）−（Ｎａ´，Ｅａ´）として表される。また、固定ＧＰＳ受信機６´における測位誤差、すなわち、補正ベクトルＶｂ（ΔＮｂ，ΔＥｂ）は、Ｖｂ（ΔＮｂ，ΔＥｂ）＝（Ｎｂ，Ｅｂ）−（Ｎｂ´，Ｅｂ´）として表される。これらの各補正ベクトルＶａ，Ｖｂと、移動ＧＰＳ受信機15の測位値（Ｎｘ，Ｅｘ）とによって求められる２点からの距離の和を最小にする点が、測位値（Ｎｘ，Ｅｘ）の正確な位置を示す補正データとなる。また、ある時刻ｔにおける固定ＧＰＳ受信機６，６´間の誤差が一様であるならば、単一の固定ＧＰＳ受信機６で正確な補正データを得ることができる。なお、各ＧＰＳ受信機６，６´，15が信号レベルの強い複数の時刻信号波に基づいて測位値を算出する場合、ＧＰＳ受信機６，６´，15間で異なる時刻信号波を受信することによる誤差要因を取り除くために、図２および図３における各制御部８，16からの制御信号によって、ＧＰＳ受信機６，６´，15が同一の人工衛星１からの時刻信号波を受信し得るようにしてもよい。
　【００１２】再度図１乃至図３に関し説明すると、本実施例では、人工衛星１からの時刻信号波を固定ＧＰＳ受信機６および移動ＧＰＳ受信機15により同時刻ｔに約５秒毎に測位する。このとき、キャディカート２に設置された移動ＧＰＳ受信機15からの測位データ（Ｎｘ，Ｅｘ）は、送信部18および受信部12を介してクラブ・ハウス４側に設けられた制御部８の補正位置演算手段14に伝送される。一方、固定ＧＰＳ受信機６からの測位データ（Ｎａ´，Ｅａ´）は、補正位置演算手段14において、予め記憶された真値（Ｎａ，Ｅａ）と比較され、その比較結果が前述の補正ベクトルＶａ（ΔＮａ，ΔＥａ）として算出される。そして、最小二乗法により、補正ベクトルＶａ（ΔＮａ，ΔＥａ）と前記移動ＧＰＳ受信機15からの測位データ（Ｎｘ，Ｅｘ）とに基づいた正確な位置を示す補正データの値を算出し、これをキャディカート２に伝送する。制御部８はこの補正データにより移動ＧＰＳ受信機15の正確な位置をリアルタイムで集中制御し、表示部10への表示などを制御する。また、キャディカート２においては、この補正データに基づいて、例えばグリーンまでの正確なヤード数や、最適なクラブを表示部21が表示する。こうした機能だけでなく、例えば、この補正データを利用することによって、各パーティー毎のプレー時間を把握できるとともに、前パーティーへの打ち込み禁止を表示したり、立ち入り禁止エリアへの侵入を音声告知したり、あるいは、落雷警報などの情報提供もクラブ・ハウス４側から送受信装置11，17を介して行うことができる。」
　
（３）対比・判断
　補正発明と、上記刊行物１記載の発明とを対比すると、刊行物１記載の発明の「現在位置検出手段」、「ティーグランド位置」、「現在位置」、「各種のホール情報」、及び「位置検出・距離情報等表示装置」は、補正発明の「移動位置測定手段」、「基準位置」、「ローカル位置」、「ホールのピン位置のデータベース」、及び「測位システム」にそれぞれ相当し、刊行物１記載の発明における「現在位置からピンまでの距離や高低差」の「表示手段」への「表示」は、補正発明における「ボール位置からピン位置までの距離及び又は高低差」の「数値出力」に相当する。そして、刊行物１記載の発明における上記「各種のホール情報」は、「ティーグランド位置を原点（０，０）」とする「ローカル座標系」で規定されているものを含むことが当業者に明らかであるから、両者は、
「ゴルフ場内の任意の位置に運ばれて、ゴルフ場の基準位置を原点とする自己のローカル位置を求める移動位置測定装置を備え、
　前記移動位置測定装置は、前記ゴルフ場の基準位置を原点とするローカル座標系で規定された各ホールのピン位置のデータベースに基づき各ホールにおけるボール位置からピン位置までの距離及び又は高低差を求めて数値出力する、ゴルフ場における測位システム。」
の点で一致し、以下の点で相違している。
　
　相違点：補正発明は、ゴルフ場の基準位置に設けられてその絶対位置を測定し、該測定位置に係る情報を送信する基準位置測定装置を備え、移動位置測定装置は、前記基準位置測定装置と同一方式で自己の絶対位置を測定すると共に、前記基準位置測定装置から受信した測定位置と該測定した自己の絶対位置との減算によって前記基準位置を原点とする自己のローカル位置を求めるものであるのに対し、刊行物１記載の発明は、基準位置測定装置を備えず、したがって、移動位置測定装置における位置測定方法が異なる点
　
　上記相違点について検討する。
　刊行物２には、上記のとおり、移動ＧＰＳ受信機が設けられた移動可能な複数のキャディカート（補正発明の「移動位置測定装置」に相当。以下、同様。）と、既知の座標位置（「基準位置」）に設置された固定ＧＰＳ受信機（「基準位置測定装置」）とからなり、この固定ＧＰＳ受信機から伝送される測位データと前記座標位置との差を測位誤差として算出することで、前記移動ＧＰＳ受信機から伝送される各測位データの誤差を補正する補正位置演算手段を設けることが記載されている。さらに、これらのキャディカートは、この補正された位置のデータに基づいて、グリーンまでの正確なヤード数（距離）を表示するという補正発明と同様の機能を有するものであることも記載されている（段落００１２）ことから、これらの記載に基づき、刊行物１記載の発明において、相違点として摘記した補正発明の技術的事項を当業者が想起することに、格別困難性は認められない。
　
　そして、補正発明が奏する作用効果も、当業者が予期し得る程度のものであって、格別のものとはいえない。
　
　したがって、補正発明は、上記刊行物１，２に記載された発明に基いて当業者が容易に発明をすることができたものであるから、特許法第２９条第２項の規定によりその特許出願の際独立して特許を受けることができないものである。
　
　以上のように、本件補正は、特許法第１７条の２第５項において準用する同法第１２６条第５項の規定に違反するから、同法第１５９条第１項において読み替えて準用する同法第５３条第１項の規定により却下すべきものである。
　よって、上記［補正却下の決定の結論］のとおり、決定する。
　
【３】本願発明について
（１）本願発明
　本願の各請求項に係る発明は、平成１６年１月９日付手続補正が上記のとおり却下されたので、出願当初明細書の特許請求の範囲の請求項１〜５に記載された事項により特定される次のとおりのものである。
「【請求項１】ゴルフ場の基準位置に設けられてその絶対位置を測定し、該測定位置に係る情報を送信する基準位置測定装置と、
　ゴルフ場内の任意の位置に運ばれて前記基準位置測定装置と同一方式で自己の絶対位置を測定すると共に、前記基準位置測定装置から受信した測定位置に係る情報に従って前記基準位置を原点とする自己のローカル位置を求める移動位置測定装置とを備え、
　前記移動位置測定装置は、ローカル座標系で規定した各ホールのピン位置のデータベースに基づき各ホールにおけるボール位置からピン位置までの距離及び又は高低差を求めて数値出力することを特徴とするゴルフ場における測位システム。
　【請求項２】〜【請求項５】（記載を省略）」
　（以下、請求項１記載の発明を「本願発明」という。）
　
（２）引用刊行物
　これに対し、原査定の拒絶の理由で引用された各刊行物、及び、その記載事項は、上記【２】（２）に記載したとおりである。
　
（３）対比・判断
　本願発明は、上記【２】で検討した補正発明から「（基準位置測定装置から受信した測定位置に係る）情報」の限定事項である「（基準位置測定装置から受信した測定位置と）該測定した自己の絶対位置との減算」との構成を省き、「ローカル座標系」の限定事項である「ゴルフ場の基準位置を原点とする（ローカル座標系）」との構成を省いたものである。
　そうすると、本願発明の構成要件を全て含み、さらに他の構成要件を付加したものに相当する補正発明が上記【２】（３）に記載したとおり、刊行物１，２に記載された発明に基いて当業者が容易に発明をすることができたものであるから、本願発明も、同様の理由により、刊行物１，２に記載された発明及び周知技術に基いて当業者が容易に発明をすることができたものであり、特許法第２９条第２項の規定により特許を受けることができないから、他の請求項に係る発明について検討するまでもなく、本願は、拒絶すべきものである。
　よって、結論のとおり審決する。